(57)【特許請求の範囲】
【請求項１】
顧客ごとに点検する点検項目を記載した点検記録表を作成する作成用データベースを有するサーバーと、
前記サーバーの前記作成用データベースから前記点検記録表を入手し、入手した前記点検記録表の点検項目のうち作業者が記入する点検項目と前記作業者とは異なる別の作業者が記入する点検項目とを区別し、前記別の作業者が記入する点検項目を前記作業者が入力できない状態にして、前記作業者が記入する点検項目と前記作業者とは異なる別の作業者が記入する点検項目の両方を表示し、前記作業者が記入する点検項目への入力を受け付ける制御部を有する端末と、
を有する点検記録表システム。
【請求項２】
前記端末は、前記作業者が前記点検項目を記入した記入済み点検記録表を前記サーバーに送信する請求項１記載の点検記録表システム。
【請求項３】
前記サーバーは、前記端末から送信された前記記入済み点検記録表を保存する記録用データベースを有する請求項２記載の点検記録表システム。
【請求項４】
前記端末は、前記制御部で管理されている前記別の作業者が記入する点検項目として現在の設定で区別されている点検項目を前記作業者が記入できるように変更することができる請求項１乃至３のいずれかに記載の点検記録表システム。
【請求項５】
前記作業者の前記端末から送信された前記作業者が記入した前記記入済み点検記録表とは異なる点検記録表が前記サーバーに送信されたとき、前記サーバーは、前記異なる点検記録表を前記記録用データベースに保存しない請求項３記載の点検記録表システム。
【請求項６】
サーバーの作成用データベースが顧客ごとに点検する点検項目を記載した点検記録表を作成するステップと、
端末が、前記サーバーの前記作成用データベースから前記点検記録表を入手し、入手した前記点検記録表の前記点検項目のうち作業者が記入する点検項目と前記作業者とは異な
る別の作業者が記入する点検項目とを区別し、前記別の作業者が記入する点検項目を前記作業者が入力できない状態にして、前記作業者が記入する点検項目と前記作業者とは異なる別の作業者が記入する点検項目の両方を表示し、前記作業者が記入する点検項目への入力を受け付けるステップと、
を有する点検記録表作成方法。
【請求項７】
前記端末は、前記作業者が前記点検項目を記入した記入済み点検記録表を前記サーバーに送信するステップを有する請求項６記載の点検記録表作成方法。
【請求項８】
前記サーバーは、記録用データベースに前記端末から送信された前記記入済み点検記録表を保存するステップを有する請求項７記載の点検記録表作成方法。
【請求項９】
前記端末は、前記制御部で管理されている前記別の作業者が記入する点検項目として現在の設定で区別されている点検項目を前記作業者が記入できるように変更することができるステップを有する請求項６乃至８のいずれかに記載の点検記録表作成方法。
【請求項１０】
前記作業者の前記端末から送信された前記作業者が記入した前記記入済み点検記録表とは異なる点検記録表が前記サーバーに送信されたとき、前記サーバーは、前記異なる点検記録表を前記記録用データベースに保存しないステップを有する請求項８記載の点検記録表作成方法。
【発明の詳細な説明】
【技術分野】
【０００１】
本発明は、点検記録表システム及び点検記録表作成方法に関する。
【背景技術】
【０００２】
特許文献１に記載された作業支援システムは、作業者が入力した作業結果を作業結果データベースに記憶し、確認者からの確認結果と合せて入力および確認が完了すると、作業者に次の作業項目が入力できるようにする。
また、特許文献２に記載された作業者選択装置は、第１のカテゴリに属する作業者が選択されると、第２のカテゴリに属する作業者の評価結果から第２のカテゴリに属する作業者の候補を出力する。
【先行技術文献】
【特許文献】
【０００３】
【特許文献１】特開２０１４−１７４７６３号公報
【特許文献２】特開２０１５−１０２９０７号公報
【発明の概要】
【発明が解決しようとする課題】
【０００４】
顧客へ販売等した装置を点検する場合において、１人の作業者が全ての点検項目を点検して報告するときと、複数の作業者で点検項目を分担してそれぞれの作業者が点検した点検結果をまとめて報告するときがある。
特許文献１に記載された作業支援システムは、複数の作業者で作業項目を分担しようとすると、複数の作業者がそれぞれの作業を分担して入力することについては記載されていない。
特許文献２に記載された作業者選択装置は、第１の作業者が選択されると評価結果から第２の作業者の候補を出力するが、第１の作業者と第２の作業者で任意に決めた作業分担に基づいて結果を記入していくものではない。
本発明は、複数の作業者が点検すべき点検項目の中から任意に選択した点検項目を記入できるようにする点検記録表システム及び点検記録表作成方法を提供することを目的とする。 
【課題を解決するための手段】
【０００５】
本発明の点検記録表システムは、顧客ごとに点検する点検項目を記載した点検記録表を作成する作成用データベースを有するサーバーと、前記サーバーの前記作成用データベースから前記点検記録表を入手し、入手した前記点検記録表の点検項目のうち作業者が記入する点検項目と前記作業者とは異なる別の作業者が記入する点検項目とを区別し、前記別の作業者が記入する点検項目を前記作業者が入力できない状態にする制御部を有する端末とを有する。
前記端末は、前記作業者が前記点検項目を記入した記入済み点検記録表を前記サーバーに送信する。
前記サーバーは、前記端末から送信された前記記入済み点検記録表を保存する記録用データベースを有する。
前記端末は、前記制御部で管理されている前記別の作業者が記入する点検項目を前記作業者が記入できるように変更することができる。
前記作業者の前記端末から送信された前記作業者が記入した前記記入済み点検記録表とは異なる点検記録表が前記サーバーに送信されたとき、前記サーバーは、前記異なる点検記録表を前記記録用データベースに保存しない。
【０００６】
本発明の点検記録表作成方法は、サーバーの作成用データベースが顧客ごとに点検する点検項目を記載した点検記録表を作成するステップと、端末が、前記サーバーの前記作成用データベースから前記点検記録表を入手し、入手した前記点検記録表の前記点検項目のうち作業者が記入する点検項目と前記作業者とは異なる別の作業者が記入する点検項目とを区別し、前記別の作業者が記入する点検項目を前記作業者が入力できない状態にするステップと、を有する。
前記端末は、前記作業者が前記点検項目を記入した記入済み点検記録表を前記サーバーに送信するステップを有する。
前記サーバーは、記録用データベースに前記端末から送信された前記記入済み点検記録表を保存するステップを有する。
前記端末は、前記制御部で管理されている前記別の作業者が記入する点検項目を前記作業者が記入できるように変更することができるステップを有する。
前記作業者の前記端末から送信された前記作業者が記入した前記記入済み点検記録表とは異なる点検記録表が前記サーバーに送信されたとき、前記サーバーは、前記異なる点検記録表を前記記録用データベースに保存しないステップを有する。
【発明の効果】
【０００７】
以上説明したように、本発明によれば、複数の作業者が点検すべき点検項目の中から任意に選択した点検項目を記入することができる。
【図面の簡単な説明】
【０００８】
【図１】本発明における点検記録表システムの概要図である。
【図２】本発明における端末のブロック図である。
【図３】点検記録表の一例を示す図である。
【図４】本発明における点検記録表を分割入力するときのフローチャートである。
【図５】本発明の別の例における点検記録表を分割入力するときのフローチャートである。
【発明を実施するための形態】
【０００９】
以下、本実施の形態における点検記録表システムを図面に基づいて説明する。
【００１０】
図１は、本発明における点検記録表システムの概要図である。点検記録表システム１０は、点検前の点検記録表３００を作成し、点検中又は点検後の点検記録表３００を保存するサーバー１００と、作業者２０がサーバー１００から点検前の点検記録表３００を受信して点検記録表３００に点検結果を入力する端末２００で構成する。
【００１１】
サーバー１００は、点検前の点検記録表３００を作成する作成用データベース（作成用ＤＢ）１１０と、点検後の点検記録表３００を保存する記録用データベース（記録用ＤＢ）１２０と、端末２００との間で通信を行う端末通信部１３０を有する。
【００１２】
作成用データベース１１０は、顧客ごとに点検する装置や点検内容が異なるので、対象となる顧客に合わせた点検記録表３００を作成する。点検記録表３００を作成するには、顧客情報や契約情報に基づいて、その顧客が保有するオプションなどを含めた点検対象の装置に対して、契約情報に記載された点検条件や点検期間などを考慮してその顧客独自の点検記録表３００を作成する。
【００１３】
記録用データベース１２０は、作業者２０が顧客の装置を点検記録表３００に基づいて点検して、その結果を記入した点検記録表３００を保存する。未だ点検は終了していないため一部しか記載されていない点検記録表３００を一時的に保存することもできる。また、１つの点検記録表３００を複数人の作業者２０で分担して記入する場合、ある作業者２０が自分に割り当てられた部分の記入が終了したときには、記入が終了した作業者２０の点検記録表３００の記入した部分を保存する。
【００１４】
端末通信部１３０は、端末２００との間で記入前の点検記録表３００又は記入後の点検記録表３００を送受信する。通信手段は、無線通信と有線通信のいずれでも構わないが、顧客先で記入することを考慮すれば、無線通信は利便性が高い。
【００１５】
なお、作成用データベース１１０と記録用データベース１２０をそれぞれ別々のサーバーに配置して、端末２００がこの２つのサーバーと通信するようにしてもよい。
【００１６】
端末２００は、小型のパソコン、タブレットパソコン、スマートフォンなどサーバー１００と異なる装置である。作業者２０が顧客先で使用することから、容易に持ち運びができる小型軽量タイプのものが好ましい。図１では、２人の作業者２０ａ、２０ｂがそれぞれ別々の端末２００ａ、２００ｂを所持して状態が図示されている。２人の作業者２０ａ、２０ｂが同じ顧客先に行って、２人の作業者２０ａ、２０ｂが１つの点検記録表３００を任意に分担して記入する。もちろん、２人の作業者２０ａ、２０ｂがそれぞれ別の顧客先に行って、それぞれが点検記録表３００を記入することもできる。
なお、サーバー１００と通信できる端末２００は２台に限らず、通信端末部１３０が処理できる範囲で増減することが可能である。
【００１７】
端末２００を詳細に説明する。図２は、本発明における端末のブロック図である。端末２００は、点検記録表３００の点検項目３１１〜３１３、３２１〜３２２に点検結果を入力する入力部２１０と、点検前の点検記録表３００の記入や保存、又はサーバー１００や端末２００との通信などをそれぞれ制御する制御部２２０と、記入途中の点検記録表３００を一時的に保存する記憶部２３０と、端末２００ａ、２００ｂ間で相互に通信を行う端末間通信部２４０と、端末２００とサーバー１００との間で通信を行うサーバー通信部２５０と、点検記録表３００を表示する表示部２６０を有する。
【００１８】
入力部２１０は、点検前の点検記録表３００の点検項目３１１〜３１３、３２１〜３２２に点検結果を記入したり、あるいは、一度入力した点検結果を修正したりする。キーボード、タッチ式入力パネル、キーパッドなど点検結果を入力できればどのようなものであっても良い。
制御部２２０は、点検記録表３００における点検項目３１１〜３１３、３２１〜３２２の入力、点検記録表３００の保存、及び点検記録表３００の表示を制御する。また、他の端末２００との間の通信や、サーバー１００との間の通信を制御する。
【００１９】
記憶部２３０は、点検前の点検記録表３００や途中まで記録した点検記録表３００を保存したり、全ての点検項目の記入が終了したが、まだサーバー１００に送信せずに一時的に端末２００に保存しておきたい場合に保存する。
端末間通信部２４０は、複数の端末２００ａ、２００ｂ間で、サーバー１００を介さずに、直接通信を行う。点検前の点検記録表３００を複数人の作業者で分担して記入する場合、各作業者間でどの範囲を担当して記入するかを連絡したり、担当する範囲以外の範囲が記入できないように端末２００間で設定条件を通信するなどを行う。
【００２０】
サーバー通信部２５０は、点検前の点検記録表３００をサーバー１００からダウンロードするとき、全ての点検項目の記入が終了した点検記録表３００をサーバー１００に保管するときなどに、端末２００とサーバー１００間で通信を行う。
【００２１】
図３は、点検記録表の一例を示す図である。この例では、点検記録表３００は、１ページ目の点検記録表３１０と、２ページ目の点検記録表３２０の２枚で構成されている。１ページ目の点検記録表３１０は、項目（１）〜項目（５）３１１が記載された点検１、項目（１）〜項目（５）３１２が記載された点検２、項目（１）〜項目（３）３１３が記載された点検３の３つに分類されている。２ページ目の点検記録表３２０は、項目（１）〜項目（５）３２１が記載された点検４と、項目（１）〜項目（１０）３２２が記載された点検５の２つに分類されている。
【００２２】
なお、図３に記載した点検記録表３００は、２ページにわたり５つに分類されているが、これは顧客情報や契約情報によって変化するものである。ページ数や分類数はこれに限られない。
【００２３】
次に、１つの点検記録表３００を複数人の作業者で記入する場合について、本例では、２人の作業者が図３に示す点検記録表３００を２人で分担して記入する場合を説明する。図４は、本発明における点検記録表を分割入力するときのフローチャートである。
２人の作業者２０ａと作業者２０ｂは、点検すべき顧客の点検対象となる製品についての点検記録表３００をサーバー１００の端末通信部１３０と端末２００ａ、２００ｂのサーバー通信部２５０で通信を行って、サーバー１００の作成用データベース１１０から、点検前の点検記録表３００を各端末２００ａ、２００ｂにダウンロードする（Ｓ１１０）。ダウンロードされた点検前の点検記録表３００は、各端末２００ａ、２００ｂの表示部２６０に表示される。各端末２００ａ、２００ｂの記録部２３０に保存されたのち、作業者２０ａ、２０ｂが入力部２１０を操作することで、表示部２６０に表示するようにしてもよい。
【００２４】
２人の作業者２０ａと作業者２０ｂの間で、点検前の点検記録表３００の記入する範囲を決める。ここでは、作業者２０ａが点検前の点検記録表３００の１ページ目３１０、作業者２０ｂが点検前の点検記録表３００の２ページ目３２０をそれぞれ記入するとする。２人の作業者２０ａと作業者２０ｂのいずれかが、サーバー１００に対して、点検前の点検記録表３００の１ページ目３１０は作業者２０ａが記入し、点検前の点検記録表３００の２ページ目３２０は作業者２０ｂが記入することを端末２００のサーバー通信部２５０を介して、サーバー１００の端末通信部１３０に送信する。サーバー１００の端末通信部１３０はこの情報を受信して、この情報が記録用データベース１２０に保存される（Ｓ１２０）。
【００２５】
この情報がサーバー１００に保存されると、サーバー１００は、サーバー１００の端末通信部１３０から端末２００ａのサーバー通信部２５０を介して、作業者２０ａが点検前の点検記録表３００の１ページ目３１０だけが入力できるようにして、点検前の点検記録表３００の２ページ目３２０は見ることはできるが、点検項目を入力できないようにロックする。また、サーバー１００は、サーバー１００の端末通信部１３０から端末２００ｂのサーバー通信部２５０を介して、作業者２０ｂが、点検前の点検記録表３００の２ページ目３２０だけが入力できるようにして、点検前の点検記録表３００の１ページ目３１０は見ることはできるが、点検項目を入力できないようにロックする。
【００２６】
作業者２０ａは、点検前の点検記録表３００の１ページ目３１０に記載された点検項目３１１〜３１３に従って、対象装置を点検した結果を点検項目３１１〜３１３に記入していく。作業者２０ｂは、点検前の点検記録表３００の２ページ目３２０に記載された点検項目３２１〜３２２に従って、対象装置を点検した結果を点検項目３２１〜３２２に記入していく。入力は、端末２００の入力部２１０により行う（Ｓ１３０）。
【００２７】
なお、点検前の点検記録表における作業者２０ａ及び作業者２０ｂが記載しない項目がロックされると、その後に作業者２０ａ及び作業者２０ｂが点検前の点検記録表を記載するとき、端末２００ａと端末２００ｂは、サーバー１００と通信していてもよいし、あるいは通信していなくてもよい。
【００２８】
２人の作業者２０ａと作業者２０ｂの点検作業の状況から、２人の作業者２０ａと作業者２０ｂの点検作業を見直しするか否かを判断し、点検前の点検記録表３００の記入範囲を変更するか否かを検討する（Ｓ１４０）。なお、点検前の点検記録表３００に記入しようとしたとき又は記入する前に、何らかの事情が生じて当初決めた分担範囲を変更するときは、Ｓ１２０とＳ１３０の間にＳ１４０の処理を入れるようにすることもできる。
【００２９】
２人の作業者２０ａと作業者２０ｂ間の分担を見直す必要がない場合（Ｓ１４０でＮの場合）は、２人の作業者２０ａと作業者２０ｂは、各端末２００ａ、２００ｂのサーバー通信部２５０からサーバー１００の端末通信部１３０へ、記入された点検記録表３００を送信する（Ｓ１７０）。このとき、作業者２０ａが作業者２０ｂより先にサーバー１００に送信した場合、作業者２０ａが記入した点検記録表３００の１ページ目３１０に記入された項目は、作業者２０ｂが点検後の点検記録表３００をサーバー１００に送信しても、サーバー１００の記録用データベース１２０に上書きされてしまうことはない。
【００３０】
これは、端末２００ａ、２００ｂは、点検記録表３００で入力がロックされている点検項目をサーバー１００に送信しないように端末２００ａ、２００ｂの制御部２２０が制御するためである。また、万が一、端末２００がロックされた情報を送信したとしても、サーバー１００は、点検記録表３００を記入する作業者２０が決まっているので、設定した作業者２０以外の別の作業者２０から点検記録表３００の点検項目３１１〜３１３、３２１〜３２２が送信されても、記録用データベース１２０に保存しないように設定されている。
【００３１】
２人の作業者２０ａと作業者２０ｂ間で点検作業の進捗が異なったり、２人の作業者２０ａと作業者２０ｂのうちの一方の作業者２０が急きょ別の顧客先に行かざるを得なくなったときなど、分担を見直す必要が生ずる場合（Ｓ１４０でＹの場合）がある。ここでは、作業者２０ｂは一部の点検作業で予想したよりも多くの時間がかかってしまい、点検記録表３００の２ページ３２０の点検項目３２１の途中までしか終了しておらず、点検項目３２２はまだ点検できていないが、作業者２０ａは点検記録表３００の記入が終了している状態である、とする。現在の設定では、作業者２０ａが作業者２０ｂの未点検項目３２２を作業者２０ａが記入できない。そのため、作業者２０ａは、作業者２０ｂが記入することになっている点検記録表３００の２ページ目３２０の点検項目３２２を作業者２０ａが記入できるように、端末２００ａのサーバー通信部２５０からサーバー１００の端末通信部１３０を介して記入者の設定を変更する（Ｓ１５０）。
【００３２】
作業者２０ａ又は作業者２０ｂが、端末２００のサーバー通信部２５０からサーバー１００の端末通信部１３０を介して、サーバー１００に対して点検記録表３００の２ページ目３２０の点検５の点検項目（１）〜（１０）３２２の記載分担を作業者２０ｂから作業者２０ａに変更するように要求する。サーバー１００は、この要求に対して記録用データベース１２０の分担変更が終了すると、サーバー１００の通信端末部１３０から端末２００ａ、２００ｂのサーバー通信部２５０を介して点検記録表３００のロック状態が変更される（Ｓ１６０）。これによって、作業者２０ａは、点検記録表３００の２ページ目３２０の点検項目３２２が入力できるようになり、作業者２０ｂは、点検記録表３００の２ページ目３２０の点検項目３２２が入力できないようにロックされる。
【００３３】
作業者２０ａは、点検記録表３００の２ページ目３２０の点検項目３２２が入力できるようになり、作業者２０ａは、点検記録表３００の２ページ目３２０の点検項目３２２に従って、対象装置を点検してその結果を点検記録表３００の２ページ目３２０の点検項目３２２に入力していく（Ｓ１３０）。
【００３４】
次に、２人の作業者２０が１つの点検記録表３００を記入する場合において、サーバー１００が点検記録表３００を記入する作業者を管理せずに、作業者２０間の端末２００が点検記録表３００を記入する作業者２０を管理する例を説明する。
図５は、本発明の別の例における点検記録表を分割入力するときのフローチャートである。図５に示したフローチャートにおいて、図４と同じ番号を付した処理は既に説明した処理と同じであるので詳細な説明は省略する。
【００３５】
２人の作業者２０ａと作業者２０ｂは、点検すべき顧客の点検対象となる製品についての点検記録表３００をサーバー１００の端末通信部１３０と端末２００ａ、２００ｂのサーバー通信部２５０で通信を行って、サーバー１００の作成用データベース１１０から、点検前の点検記録表３００を各端末２００ａ、２００ｂにダウンロードする（Ｓ１１０）。
【００３６】
２人の作業者２０ａと作業者２０ｂの間で、点検前の点検記録表３００の記入する範囲を決める。ここでは、作業者２０ａが点検前の点検記録表３００の１ページ目３１０、作業者２０ｂが点検前の点検記録表３００の２ページ目３２０をそれぞれ記入するとする。作業者２０ａは、端末２００ａで点検前の点検記録表３００の１ページ目３１０を記入できるように設定する。作業者２０ｂは、端末２００ｂで点検記録表３００の２ページ目３２０を記入できるように設定する。２人の作業者２０ａ、２０ｂが端末２００ａ、２００ｂでの設定が終了すると、端末２００ａ、２００ｂの端末間通信部２４０同士が通信を行う。作業者２０ａが設定した点検記録表３００の情報は、端末２００ｂの記憶部２３０に保存される。作業者２０ａが設定した点検記録表３００の情報が端末２００ｂの記憶部２３０に保存されると、端末２００ｂの点検記録表３００の１ページ目３１０の点検項目３１１〜３１３が作業者２０ｂによって入力できないようにロックされる。同様に、作業者２０ｂが設定した点検記録表３００の情報は、端末２００ａの記憶部２３０に保存される。作業者２０ｂが設定した点検記録表３００の情報が端末２００ａの記憶部２３０に保存されると、端末２００ａの点検記録表３００の２ページ目３２０の点検項目３２１〜３２２が作業者２０ａによって入力できないようにロックされる（Ｓ２２０）。
【００３７】
作業者２０ａ、２０ｂは、それぞれの作業者２０ａ、２０ｂが記入すべき点検前の点検記録表３００の点検項目３１１〜３１３、３２１〜３２２に記入していく（Ｓ１３０）。
なお、点検前の点検記録表における作業者２０ａ及び作業者２０ｂが記載しない項目がロックされると、その後に作業者２０ａ及び作業者２０ｂが点検前の点検記録表を記載するとき、端末２００ａと端末２００ｂは、サーバー１００と通信していてもよいし、あるいは通信していなくてもよい。また、上記の場合、端末２００ａと端末２００ｂ間も通信していてもよいし、あるいは通信していなくてもよい。
【００３８】
２人の作業者２０ａと作業者２０ｂ間の分担を見直す必要がない場合（Ｓ１４０でＮの場合）は、２人の作業者２０ａと作業者２０ｂは、各端末２００ａ、２００ｂのサーバー通信部２５０からサーバー１００の端末通信部１３０へ、記入された点検記録表３００を送信する（Ｓ１７０）。このとき、端末２００ａ、２００ｂは、ロックされていない点検項目３１１〜３１３、３２１〜３２２をサーバー１００に送信するので、作業者２０ａが作業者２０ｂより先にサーバー１００に送信した場合、作業者２０ａが記入した点検記録表３００の１ページ目３１０に記入された点検結果は、作業者２０ｂが点検後の点検記録表３００をサーバー１００に送信しても、サーバー１００の記録用データベース１２０に上書きされてしまうことはない。
【００３９】
２人の作業者２０ａと作業者２０ｂ間の分担を見直す必要が生じた場合（Ｓ１４０でＹの場合）は、２人の作業者２０ａと作業者２０ｂは、各端末２００ａ、２００ｂにて点検記録表３００の記入範囲の変更を行う。ここでは、点検記録表３００の２ページ目３２０の点検項目３２２を作業者２０ａが記入するように設定する、と仮定する。作業者２０ａは、端末２００ａから点検記録表３００の２ページ目３２０の点検項目３２２を作業者２０ａが入力できるように変更する。一方、作業者２０ｂは、端末２００ｂから点検記録表３００の２ページ目３２０の点検項目３２２を作業者２０ｂが入力できないように変更する（Ｓ２５０）。２人の作業者２０ａ、２０ｂの設定が終了すると、端末２００ａの端末間通信部２４０と、端末２００ｂの端末間通信部２４０とが通信を行って、それぞれの変更部分を端末２００ａ、２００ｂの記憶部２３０に記憶される。このとき、作業者２０ａの記入範囲の変更設定が終了したが、作業者２０ｂの変更設定が終了しないとき、制御部２２０が端末２００ａ、２００ｂ間の通信ができないように制御しても良いし、作業者２０ａ、２０ｂ間で変更設定した範囲が一致しないとして、一致していない部分が解消されない限り、作業者２０ａ、２０ｂが点検項目３１１〜３１３、３２１〜３２２の入力することができないようにしてもよい。
【００４０】
作業者２０ａが端末２００ａから点検記録表３００の２ページ目３２０の点検項目３２２を入力できるように変更されると、端末２００ａは点検記録表３００の２ページ目３２０の点検項目３２２の入力がロックされた状態を解除する（１６０）。端末２００ｂは、作業者２００ｂが点検記録表３００の２ページ目３２０の点検項目３２２を入力できないように入力をロックする。
【符号の説明】
【００４１】
１０・・点検記録表システム、
２０、２０ａ、２０ｂ・・作業者、
１００・・サーバー、
２００、２００ａ、２００ｂ・・端末、
３００、３１０、３２０・・点検記録表
【図１】
0006683448.tif 000002
【図２】
0006683448.tif 000003
【図３】
0006683448.tif 000004
【図４】
0006683448.tif 000005
【図５】
0006683448.tif 000006